(57)【要約】【課題】本発明は、入出線用の開口２が必要なときに容易に対応できるチャンネルベース１を提供することを目的とする。【解決手段】本発明に係るチャンネルベース１は、上面１ａと前面１ｂに入出線用の開口２ａ、２ｂとを形成し、前面１ｂに設けられる開口２ｂはチャンネルベース１前面１ｂの下端部１ｃまで延設し、開口２ｂの左右端部近傍に枠金具３を固定すると共に、枠金具３の上端から開口２ｂの上端部２ｃまでを化粧板５で施蓋することを特徴とする。【選択図】　　　　図１
2004120824.tif 000002
【特許請求の範囲】
【請求項１】
少なくとも前面下部と上面とに入出線用の開口を設け、前記上面で分電盤を支持するチャンネルベースにおいて、前面に設けられる前記開口はチャンネルベース前面の下端部まで延設し、前記開口の左右端部近傍に枠金具を固定すると共に、該枠金具の上端から前記開口の上端部までを化粧板で施蓋することを特徴とするチャンネルベース。
【請求項２】
前記チャンネルベースにおいて、前記枠金具は、底面方向の端部から上方向の開口の任意の位置に取り付け変更可能であることを特徴とするチャンネルベース。
【発明の詳細な説明】
【０００１】
【発明の属する技術分野】
本発明は、少なくとも前面下部と上面とに入出線用の開口を設け、上面で分電盤を支持するチャンネルベースに関する。
【０００２】
【従来の技術】
従来技術におけるチャンネルベースは、ＯＡフロアに分電盤３１を自立させて設置する場合、ＯＡフロアのフロア面Ｌ２に埋め込むようにチャンネルベース３２を設置し、そのチャンネルベース３２の上に分電盤３１を取り付けるが、図４に示すように、その都度、チャンネルベース３２に必要な通線孔３３を加工するか、図５に示すように、チャンネルベース３２をフロア面Ｌ２まで浮かせるような架台３４を設置する等して、分電盤３１からの入出線に対応していた。また、はじめに、入出線の必要がなくチャンネルベースに通線孔が設けられていない分電盤が設置されているオフィス等のフロア面に、床下配線を行うため新たにＯＡフロアをリニューアル工事で設ける場合も同様に、チャンネルベース３２に、通線孔３３を施すか、架台３４を設置するか、作り替える等していた。また、従来例として、実開昭６２−８１４０９号や、実開平２−４４８０７号などがある。
【０００３】
【発明が解決しようとする課題】
上記従来技術における分電盤の設置方法では、通線孔３３の加工や架台３４は施工業者が加工製作する場合が多く、時間と手間がかかり、繁雑な作業となっていた。また、最近、短納期でさらに低価格の一旦設置された分電盤のリニューアル工事が増えてきている。その場合、ＯＡフロアを設ける場合も同様に施工業者が加工、製作するため、製作に時間がかかると共に、製造コストも高いものとなる他、通線孔３３を加工する場合、高さの高いチャンネルベースを使用するため、前面に開口が施されている場合が多く、その場合、前面被覆板３５がＯＡフロアの床面Ｌに挟まれて、施行後に点検等で前面被覆板３５を外す際、ＯＡフロアを取り外さなければならず、非常に繁雑な作業となっていた。
【０００４】
【課題を解決するための手段】
そこで本発明は、入出線用の開口が必要なときに容易に対応できるチャンネルベースを提供することを目的とし、その構造は、前面に設けられる開口はチャンネルベース前面の下端部まで延設し、開口の左右端部近傍に枠金具を固定すると共に、枠金具の上端から開口の上端部までを化粧板で施蓋することを特徴とする。
【０００５】
また、枠金具は、底面方向の端部から上方向の開口の任意の位置に取り付け変更可能であることを特徴とする。
【０００６】
【発明の実施の形態】
本発明に係るチャンネルベースは、ＯＡフロアに埋め込んでチャンネルベースを設置し、その時、フロア面に対向する位置に金具を開口左右端部に渡して固定する。金具から開口上端部までの開口を化粧板で施蓋し、開口下部のみを入出線用に開放する。
【０００７】
また、金具は開口の範囲内において任意の位置に取り付け可能とし、入出線の量に合わせて開口寸法を適宜変更できる。そのチャンネルベースが取り付けられる現場において、金具の取り付け位置を変更でき、配線作業の効率が向上する。
【０００８】
【実施例】
本発明に係るチャンネルベースの実施例を図１〜図２の添付図面に基づいて説明する。
【０００９】
ＯＡフロアに自立させて設置される分電盤は、チャンネルベース１の上面１ａで支持する。チャンネルベース１の上面１ａと前面１ｂには、入出線用の開口２ａ、２ｂを設ける。本発明に係るチャンネルベース１の前面１ｂの開口２ｂ左右端部に固定することのできる枠金具３を形成する。枠金具３は左右端部を固定用に折曲形成すると共にねじ穴４を設け、前面３ａはチャンネルベース１の開口２ｂに対向させて取り付ける。
【００１０】
チャンネルベース１をＯＡフロアに埋め込まずに使用したりして、チャンネルベース１で入出線の必要がない場合、枠金具３をチャンネルベース１の下端部１ｃに合わせて、チャンネルベース１の開口２ｂに渡すような形で固定する。枠金具３から開口２ｂの上端部２ｃまでを化粧板５で施蓋する。
【００１１】
チャンネルベース１をＯＡフロアに埋め込んで設置し、前面１ｂに入出線用の開口２ｂを設ける必要がある場合は、チャンネルベース１のフロア面Ｌ１に対向する位置に枠金具３を取り付ける。枠金具３から開口２ｂの上端部２ｃまでを化粧板５で施蓋し、開口２ｂの下方部２ｄは入出線用に開放しておく。
【００１２】
ＯＡフロア中の配線をチャンネルベース１の前面１ｂ開口２ｂ下方部２ｄから入線し、上面１ａ開口１ａから出線して分電盤へ接続する。
【００１３】
本発明の請求項２に係るチャンネルベース１は、枠金具３を開口２の範囲において任意の位置で固定できるものである。例えばチャンネルベースに固定用のねじ穴（図示せず）を複数設け、チャンネルベース１のフロア面Ｌ１に当たるところに枠金具３を取り付ける。入出線の電線量が多ければ、枠金具３の取り付け位置を上げて開口２ｂを広くすることもできる。
【００１４】
【発明の効果】
以上述べたように、本発明に係るチャンネルベースは、前面に設けられる開口はチャンネルベース前面の下端部まで延設し、開口の左右端部近傍に枠金具を固定すると共に、枠金具の上端から開口の上端部までを化粧板で施蓋するため、チャンネルベースの前面に入出線用の開口の要、不要にかかわらず、同じ部材を用いることができ、安価で、入出線用の開口がないチャンネルベースに入出線用の開口を容易に設けられる施工性の高いチャンネルベースを提供することができる。
【００１５】
また、本発明の請求項２に係るチャンネルベースは、枠金具は、底面方向の端部から上方向の開口の任意の位置に取り付け変更可能であるため、フロアの高さや入出線のための電線量によって、開口寸法を変更可能である。そして、これらの作業は分電盤が設置される現場で特別な加工の必要なく、配線作業が容易になる。
【図面の簡単な説明】
【図１】本発明に係るチャンネルベースを示す説明図である。
【図２】本発明に係るチャンネルベースの金具を示す説明図である。
【図３】本発明に係るチャンネルベースを示す説明図である。
【図４】従来技術におけるチャンネルベースを示す説明図である。
【図５】従来技術におけるチャンネルベースを示す説明図である。
【符号の説明】
１　　　チャンネルベース
１ａ　　上面
１ｂ　　前面
１ｃ　　下端部
２ａ　　開口
２ｂ　　開口
２ｃ　　上端部
２ｄ　　下方部
３　　　金具
３ａ　　前面
４　　　ねじ穴
５　　　化粧板
【図１】
2004120824.tif 000003
【図２】
2004120824.tif 000004
【図３】
2004120824.tif 000005
【図４】
2004120824.tif 000006
【図５】
2004120824.tif 000007